(57)【要約】【課題】  携帯電話機の載置状態を「縦斜め載置状態」から「横斜め載置状態」へ、また、「横斜め載置状態」から「縦斜め載置状態」へ、簡単な操作で相互に移行可能とする。【解決手段】  充電装置本体１に対して可動足２を着脱自在とする。携帯電話機の載置状態を「縦斜め載置状態」とする場合は、充電装置本体１の背面部１ｂに対して可動足２を装着する。この可動足２は、固定足５よりも高くなっているため、床面に載置された当該充電装置を「縦斜め載置状態」で支持する。また、可動足２の接続ボタン９を押圧操作することで、該可動足２を充電装置本体１内にさらに押し込むことが可能となっている。これにより、可動足２の第１の接続脚部７の高さよりも第２の接続脚部８の高さの方が低くなり、床面に載置された当該充電装置を「横斜め載置状態」で支持する。このように、可動足２の接続及び接続ボタン９の操作で、簡単に載置状態を変更することができる。【選択図】  図１
2007209144.tif 000002
【特許請求の範囲】
【請求項１】
載置される携帯端末装置の表示画面の上辺部に略対応する線上に位置するように、床面と相対向する面部側に設けられた第１及び第２の可動足接続用孔を備えたホルダ装置本体と、
上記第１の可動足接続用孔に挿入接続される第１の脚部、上記第２の可動足接続用孔に挿入接続される第２の脚部、及び上記第１、第２の脚部同士を連結する当接部を備えた可動足と、
上記ホルダ装置本体の第１の可動足接続用孔に設けられ、該第１の可動足接続用孔に挿入された上記可動足の第１の脚部を回動自在に保持する回動保持部と、
上記ホルダ装置本体の第２の可動足接続用孔に設けられた嵌込部と、
上記可動足の第１の脚部側に設けられ、上記第１の可動足接続用孔に設けられた上記回動保持部に対して回動自在に係合する回転軸部と、
上記可動足の第２の脚部側に設けられ、上記第２の可動足接続用孔に挿入された際に、該第２の可動足接続用孔に設けられた上記嵌込部と嵌込して嵌込状態となることで、上記可動足を上記ホルダ装置本体に固定し、この嵌込の解除操作が行われた際に、上記嵌込状態を解除して、上記可動足の取り外し、或いは上記第２の可動足接続用孔に対する上記第２の脚部のさらなる挿入を可能とする接続ボタンと
を有する携帯端末装置のホルダ装置。
【請求項２】
請求項１に記載の携帯端末装置のホルダ装置であって、
上記可動足は、上記第１及び第２の可動足接続用孔を介して上記ホルダ装置本体に着脱自在となっていること
を特徴とする携帯端末装置のホルダ装置。
【請求項３】
請求項１又は請求項２に記載の携帯端末装置のホルダ装置であって、
上記ホルダ装置本体に設けられ、所定のケーブルを接続するための接続端子を有し、
上記可動足は、外観が略Ｕ字形状を有しており、上記ホルダ装置本体に装着されることで形成される間隙部に、上記接続端子に接続されたケーブルが挿通可能となっていること
を特徴とする携帯端末装置のホルダ装置。
【請求項４】
携帯端末装置が載置されるホルダ装置本体と、
上記ホルダ装置本体に載置される携帯端末装置の表示画面の上辺部に略対応する線上に位置すると共に、該ホルダ装置本体から床面側に突出するように該ホルダ装置本体に設けられ、一方の脚部片に上記ホルダ装置本体に対する固定及び固定解除を操作するための接続ボタンを備えた脚部と、略直線形状を有し、上記ホルダ装置本体内に収納されるかたちで設けられ、上記脚部の形成方向と直交する方向に沿って、一方の端部が上記脚部の他方の脚部片に固定して接続された回転軸部と、上記脚部と同じ方向となるように上記ホルダ装置本体内に収納して設けられ、上記回転軸部の他方の端部に他方の端部が固定して接続され、一方の端部に軸受け部が設けられた連結バーとを備えた第１の可動足と、
上記ホルダ装置本体内に収納されるかたちで設けられ、第１の脚部片及び第２の脚部片を互いに回動自在とするヒンジ機構を介して接続することで形成され、上記第１の脚部片の反ヒンジ機構側の端部に設けられた、上記連結バーの軸受け部と回動自在に係合する回転軸部と、上記第２の脚部片の反ヒンジ機構側の端部に、上記ホルダ装置本体から床面側に突出するように設けられた突出部とを備えた第２の可動足と
を有し、
上記第１の可動足の接続ボタンにより上記ホルダ装置本体に上記脚部が固定されている場合は、上記第２の可動足の突出部が上記ホルダ装置本体内に収納された状態となり、上記第１の可動足の接続ボタンを固定解除操作することで、上記ホルダ装置本体に対する上記脚部の固定が解除され、該脚部が上記ホルダ装置本体内にさらに挿入操作された際に、上記第２の可動足の突出部が上記ホルダ装置本体から突出した状態となること
を特徴とする携帯端末装置のホルダ装置。
【請求項５】
請求項４に記載の携帯端末装置のホルダ装置であって、
上記第１の可動足の上記接続ボタンが設けられている側の脚部片のストローク長と、上記第２の可動足の上記突出部のストローク長との比と、上記第２の可動足の第１の脚部片の長さ及び第２の脚部片の長さの比とが同じ比となるように、該第２の可動足の第１の脚部片の長さ及び第２の脚部片の長さが設定されていること
を特徴とする携帯端末装置のホルダ装置。
【請求項６】
請求項４又は請求項５に記載の携帯端末装置のホルダ装置であって、
上記ホルダ装置本体に設けられ、所定のケーブルを接続するための接続端子を有し、
上記第１の可動足は、上記ホルダ装置から突出した部分に間隙部を有しており、この間隙部に上記接続端子に接続されたケーブルが挿通可能となっていること
を特徴とする携帯端末装置のホルダ装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）等の携帯端末装置の充電装置や車載ホルダ装置等に適用して好適な携帯端末装置のホルダ装置に関する。
特に、載置された携帯端末装置の横斜め載置状態から縦斜め載置状態への移行、及び縦斜め載置状態から横斜め載置状態への移行を、直接的、かつ、簡単な操作で可能とした携帯端末装置のホルダ装置に関する。
【背景技術】
【０００２】
特開平５−３１５０１３号の公開特許公報（特許文献１）において、バッテリの温度上昇を抑えると共に、機器の小型化を図ったバッテリ充電装置が開示されている。このバッテリ充電装置は、載置されたバッテリを、０度から９０度の範囲内の傾きを持って保持することで、充電装置内の充電回路と、載置されたバッテリとの間に間隙部（空洞）を形成する。
【０００３】
これにより、充電回路から発生する熱を上記空洞を介して放熱することができる。このため、充電回路から発生する熱が、直接的にバッテリに伝わることを防止することができ、バッテリの温度上昇を防止することができる。また、バッテリを横向きで保持する場合、充電装置のサイズが横方向に大きくなり、バッテリを縦向きで保持する場合、充電装置のサイズが縦方向に大きくなるが、このバッテリ充電装置の場合、斜めにバッテリを保持するようになっているため、当該バッテリ充電装置のサイズを小型化することができる。
【０００４】
【特許文献１】特開平５−３１５０１３号公報（第３頁〜第４頁：図１）
【発明の開示】
【発明が解決しようとする課題】
【０００５】
ここで、近年において、パーソナルコンピュータ装置と携帯電話機との間で、音楽データ、画像データ、電話帳、スケジュール帳等のデータを相互に転送する作業が行われているが、このような作業は、将来的に益々多くなることが予想される。このデータ転送の作業を行う際に、載置された携帯電話機を横向き或いは縦向きの状態で斜めに傾けて保持することにより、ユーザに携帯電話機の表示画面を見やすくすることができ、上記作業を行いやすくすることができる。
【０００６】
そして、携帯電話機の表示画面に表示されるデータに応じて、この横向きで斜めに傾けて載置された状態（横斜め載置状態）、及び縦向きで斜めに傾けて載置された状態（縦斜め載置状態）のうち、所望の載置状態を任意に選択することができれば、上記作業を、より行い易くすることができる。
【０００７】
このような載置状態を任意に選択可能とするためには、長方形状のホルダ装置の底面部のいずれか一方の短手方向の辺部の略中央近傍に、該底面部に対して略直交する方向に立脚する可動足を１本設ける。これにより、ホルダ装置に載置された携帯電話機を、上記１本の可動足で上記横斜め載置状態或いは縦斜め載置状態に、それぞれ支持することが可能となる。
【０００８】
また、携帯電話機のホルダ装置の底面部の四隅に、それぞれ独立して立脚及び収納が可能な４本の可動足を設け、これら各可動足を、所望の載置状態に対応するように立脚及び収納することで、携帯電話機の載置状態を所望の載置状態とすることが可能となる。
【０００９】
しかし、可動足を１本のみ設けた場合、この１本の可動足で上記支持を行う必要があるため、該支持が不安定となる問題がある。
【００１０】
また、可動足を４本設けた場合には上記支持は安定するが、所望の載置状態とするためには、４本の可動足をそれぞれ操作する必要があり、大変面倒である。
【００１１】
本発明は、上述の課題に鑑みてなされたものであり、簡単な操作で縦斜め載置状態から横斜め載置状態へ、或いは横斜め載置状態から縦斜め載置状態へ移行することができ、また、載置された携帯端末装置を安定して支持することができるような携帯端末装置のホルダ装置の提供を目的とする。
【課題を解決するための手段】
【００１２】
本発明に係る携帯端末装置のホルダ装置は、上述の課題を解決するための手段として、
載置される携帯端末装置の表示画面の上辺部に略対応する線上に位置するように、床面と相対向する面部側に設けられた第１及び第２の可動足接続用孔を備えたホルダ装置本体と、
上記第１の可動足接続用孔に挿入接続される第１の脚部、上記第２の可動足接続用孔に挿入接続される第２の脚部、及び上記第１、第２の脚部同士を連結する当接部を備えた可動足と、
上記ホルダ装置本体の第１の可動足接続用孔に設けられ、該第１の可動足接続用孔に挿入された上記可動足の第１の脚部を回動自在に保持する回動保持部と、
上記ホルダ装置本体の第２の可動足接続用孔に設けられた嵌込部と、
上記可動足の第１の脚部側に設けられ、上記第１の可動足接続用孔に設けられた上記回動保持部に対して回動自在に係合する回転軸部と、
上記可動足の第２の脚部側に設けられ、上記第２の可動足接続用孔に挿入された際に、該第２の可動足接続用孔に設けられた上記嵌込部と嵌込して嵌込状態となることで、上記可動足を上記ホルダ装置本体に固定し、この嵌込の解除操作が行われた際に、上記嵌込状態を解除して、上記可動足の取り外し、或いは上記第２の可動足接続用孔に対する上記第２の脚部のさらなる挿入を可能とする接続ボタンと
を有する。
【００１３】
このような本発明は、第１の脚部を第１の可動足接続用孔に挿入すると共に、接続ボタンが上記第２の可動足接続用孔に設けられた上記嵌込部と嵌込するように、第２の脚部を第２の可動足接続用孔に挿入して上記可動足２を上記ホルダ装置本体に装着することで、床面に載置した当該ホルダ装置を縦斜め載置状態とすることができる。
【００１４】
また、接続ボタンの解除操作を行い、上記第２の可動足接続用孔に上記第２の脚部をさらに挿入することで、床面に載置した当該ホルダ装置を横斜め載置状態に簡単に移行することができる。
【００１５】
また、本発明に係る携帯端末装置のホルダ装置は、上述の課題を解決するための手段として、
携帯端末装置が載置されるホルダ装置本体と、
上記ホルダ装置本体に載置される携帯端末装置の表示画面の上辺部に略対応する線上に位置すると共に、該ホルダ装置本体から床面側に突出するように該ホルダ装置本体に設けられ、一方の脚部片に上記ホルダ装置本体に対する固定及び固定解除を操作するための接続ボタンを備えた脚部と、略直線形状を有し、上記ホルダ装置本体内に収納されるかたちで設けられ、上記脚部の形成方向と直交する方向に沿って、一方の端部が上記脚部の他方の脚部片に固定して接続された回転軸部と、上記脚部と同じ方向となるように上記ホルダ装置本体内に収納して設けられ、上記回転軸部の他方の端部に他方の端部が固定して接続され、一方の端部に軸受け部が設けられた連結バーとを備えた第１の可動足と、
上記ホルダ装置本体内に収納されるかたちで設けられ、第１の脚部片及び第２の脚部片を互いに回動自在とするヒンジ機構を介して接続することで形成され、上記第１の脚部片の反ヒンジ機構側の端部に設けられた、上記連結バーの軸受け部と回動自在に係合する回転軸部と、上記第２の脚部片の反ヒンジ機構側の端部に、上記ホルダ装置本体から床面側に突出するように設けられた突出部とを備えた第２の可動足と
を有する。
【００１６】
このような本発明は、上記第１の可動足の接続ボタンにより上記ホルダ装置本体に上記脚部が固定されている場合は、上記第２の可動足の突出部が上記ホルダ装置本体内に収納された状態となり、上記第１の可動足の接続ボタンを固定解除操作することで、上記ホルダ装置本体に対する上記脚部の固定が解除され、該脚部が上記ホルダ装置本体内にさらに挿入操作された際に、上記第２の可動足の突出部が上記ホルダ装置本体から突出した状態となる。
【００１７】
これにより、第１の可動足の接続ボタンにより上記ホルダ装置本体に上記脚部が固定されている場合は、床面に載置した当該ホルダ装置を縦斜め載置状態とすることができ、第１の可動足の接続ボタンを固定解除操作することで、ホルダ装置本体に対する脚部の固定を解除し、該脚部を上記ホルダ装置本体内にさらに挿入操作した場合には、床面に載置した当該ホルダ装置を横斜め載置状態とすることができる。
【発明の効果】
【００１８】
本発明は、簡単な操作で縦斜め載置状態から横斜め載置状態へ、或いは横斜め載置状態から縦斜め載置状態へ、直接的に移行することができる。また、載置された携帯端末装置を安定して支持することができる。
【発明を実施するための最良の形態】
【００１９】
本発明は、携帯電話機の充電装置に適用することができる。
【００２０】
［第１の実施の形態］
［第１の実施の形態の充電装置の構成］
この本発明の第１の実施の形態となる携帯電話機の充電装置は、図１に示すように携帯電話機が背面部から横置きの状態で載置される充電装置本体１と、この充電装置本体１に対して着脱自在な可動足２とを有している。
【００２１】
充電装置本体１は、携帯電話機の載置面となる上面部１ａと、この上面部１ａの裏面となる背面部１ｂとが略長方形状に形成されている。このうち、背面部１ｂには、長方形状を有する当該背面部１ｂの一方の短い方の辺部の両隅近傍に設けられた、上記可動足２を接続するための第１の接続用孔部３及び第２の接続用孔部４と、当該背面部１ｂの他方の短い方の辺部に近接して設けられると共に、背面部１ｂ全体の略半分程度にわたって所定の高さ（＝携帯電話機が載置される方向に沿った幅）を有するように設けられた固定足５とが設けられている。
【００２２】
第１の接続用孔部３は、背面部１ｂから上面部１ａ方向に沿った孔部として設けられているのに対して、第２の接続用孔部４は、背面部１ｂから反上面部１ａ方向に突出した突出部１５内を貫通するかたちで設けられている。また、突出部１５の突出量は、上記固定足５の突出量と略々同じとなっており、充電装置本体１に可動足２を接続しない場合には、固定足５及び突出部１５により当該充電装置本体１を支持するようになっている。このため、充電装置本体１に可動足２を接続しない場合には、当該充電装置本体１が設置された設置面に対して、当該充電装置本体１に載置された携帯電話機を平行に保持するようになっている。
【００２３】
可動足２は、図２に示すように当該充電装置が載置される面部に当接する当接部６と、この当接部６の各端部から同方向に立設された第１の接続脚部７及び第２の接続脚部８とを有している。当接部６及び各接続脚部７、８は一体成形されており、全体で当該可動足２がＵ字形状を有するように形成されている。
【００２４】
第２の接続脚部８は、第１の接続脚部７よりも多少短めとなるように形成されており、第１の接続脚部７には、当該可動足２を充電装置本体１に接続する際の回転軸となる軸部１０が、第２の接続脚部８には、当該可動足２を充電装置本体１に固定するための接続ボタン９が、それぞれ設けられている。
【００２５】
第２の接続脚部８に設けられた接続ボタン９は、この第２の接続脚部８の両脇に沿って切り欠きを設けることで形成されている。この接続ボタン９には、図２中矢印で示すロック方向に突出した突部１３が設けられている。この突部１３には、当該第２の接続脚部８の形成方向に対して直交する方向に沿って嵌込溝部１１が設けられており、可動足２を充電装置本体１に接続した際に、この嵌込溝部１１が、充電装置本体１の第２の接続用孔部４に嵌込して、可動足２を充電装置本体１に固定するようになっている。
【００２６】
また、接続ボタン９は、通常、図２中矢印で示すロック方向に勢力が与えられているのであるが、ユーザが指等で押圧操作することで、図２中矢印で示す解除方向に撓ませることが可能となっている。後に説明するが、可動足２を充電装置本体１に接続した状態で、この接続ボタン９を上記解除方向に押し込むことで、可動足２の第２の接続脚部８を、充電装置本体１の第２の接続用孔部４内にさらに押し込み、充電装置本体１に対して可動足２を斜めに固定することが可能となっている。
【００２７】
［可動足の機能］
このような第１の実施の形態の充電装置は、上述のように充電装置本体１に可動足２を接続しない場合には、当該充電装置本体１が設置された設置面に対して、当該充電装置本体１に載置された携帯電話機を平行に保持するようになっているのであるが、充電装置本体１に可動足２を接続することで、載置された携帯電話機を以下に説明する縦斜め載置状態とすることができ、また、充電装置本体１に接続された可動足２の接続ボタン９を第２の接続用孔部４内にさらに押し込むことで、載置された携帯電話機を後に説明する横斜め載置状態とすることができるようになっている。
【００２８】
〔縦斜め載置状態への移行〕
まず、充電装置本体１に載置された携帯電話機の表示画面の上辺部の位置を、該表示画面の下辺部よりも高い位置に保持することで、携帯電話機の表示画面を縦画面として使用するかたちでユーザの視線と略正対させる「縦斜め載置状態」とする場合、ユーザは、充電装置本体１に対して可動足２を接続する。
【００２９】
充電装置本体１に対する可動足２の接続工程を、図３（ａ）、（ｂ）に示す。この図３（ａ）からわかるように、充電装置本体１に可動足２を接続する場合、可動足２の第１の接続脚部７を、充電装置本体１の背面部１ｂ側に設けられている第１の接続用孔部３に挿入する。この第１の接続用孔部３内には軸受け部が設けられており、この軸受け部が、可動足２の第１の接続脚部７に設けられている軸部１０と係合することで、図３（ａ）中矢印で示すように当該可動足２を、第１の接続脚部７の軸部１０の軸回りに回動自在に保持する。
【００３０】
次に、可動足２の第１の接続脚部７を第１の接続用孔部３に接続することで回動自在となった可動足２を充電装置本体１側に回転させると、可動足２の第２の接続脚部８が図３（ｂ）に示すように第２の接続用孔部４に挿入可能となる。換言すれば、可動足２の第１の接続脚部７を第１の接続用孔部３に接続し、この状態で可動足２を充電装置本体１側に回転させると、可動足２の第２の接続脚部８が第２の接続用孔部４に挿入可能となるように、可動足２の長さ及び第１、第２の接続用孔部３、４の位置が位置決めされている。
【００３１】
そして、可動足２の第２の接続脚部８を充電装置本体１の第２の接続用孔部４に挿入した状態で、第２の接続脚部８に対して充電装置本体１方向への力を加えると、図４に示すように第２の接続脚部８の接続ボタン９に設けられている嵌込溝部１１が、第２の接続用孔部４に設けられた突出部１６と嵌込し、当該第２の接続脚部８が第２の接続用孔部４に固定される。
【００３２】
これにより、充電装置本体１を載置面に載置すると、当該充電装置本体１の可動足２が接続された側が該可動足２により押し上げられ、図５に示すように表示画面の上辺部の位置を該表示画面の下辺部よりも高い位置に保持する「縦斜め載置状態」に、当該充電装置本体１に載置された携帯電話機を保持することができる。
【００３３】
この「縦斜め載置状態」時においては、図１に示す可動足２の当接部６全体と、充電装置本体１の固定足５の後ろエッジ部とが床面と当接して充電装置本体１を支持することとなる。このため、充電装置本体１を「縦斜め載置状態」とした場合でも、床面に対する当接面積が大きく、充電装置本体１に載置されている携帯電話機を安定して保持することができる。
【００３４】
〔ケーブルの挿通〕
ここで、図３（ｂ）に示すように充電装置本体１の背面部１ｂ側に設けられた固定足５には、パーソナルコンピュータ装置と携帯電話機との間で所定のデータを送受信するためのケーブル接続端子２０（例えば、ＵＳＢ接続端子、USB：Universal Serial Bus）、及び携帯電話機に電力を供給する電源接続端子２１が設けられている。
【００３５】
ケーブル接続端子２０には、例えばＵＳＢケーブル２２が接続され、電源接続端子２１には電源ケーブル２３が接続されるのであるが、充電装置本体１の背面部１ｂと、当該充電装置の載置面との間に、ＵＳＢケーブル２２や電源ケーブル２３が挟まってしまうと、携帯電話機の載置状態が不安定となることが懸念される。
【００３６】
しかし、当該実施の形態の充電装置の場合、上述のように、可動足２はＵ字形状を有しているため、可動足２を充電装置本体１に接続すると、図１に示すように可動足２の当接部６と充電装置本体１の背面部１ｂとの間に間隙部１７が形成される。このため、図３（ｂ）に示すように充電装置本体１に接続されたＵＳＢケーブル２２や電源ケーブル２３は、この間隙部１７を挿通させて、パーソナルコンピュータ装置や電源コンセントに接続することができる。
【００３７】
従って、充電装置本体１に接続されたＵＳＢケーブル２２や電源ケーブル２３が、充電装置本体１の背面部１ｂと、当該充電装置の載置面との間に挟まってしまい、当該充電装置に載置された携帯電話機の載置状態が不安定となる不都合を防止することができる。
【００３８】
なお、当該実施の形態の充電装置の場合、可動足２を接続しない場合でも、充電装置本体１に接続されたＵＳＢケーブル２２や電源ケーブル２３が、充電装置本体１の背面部１ｂと、当該充電装置の載置面との間に挟まってしまう不都合を防止可能となっている。
【００３９】
すなわち、当該実施の形態の充電装置の場合、可動足２が接続されたいない場合には、上述のように固定足５及び突出部１５により当該充電装置本体１を支持するようになっている。このため、固定足５及び突出部１５の高さの分、当該充電装置が設置された設置面と、充電装置本体１の背面部１ｂとの間に間隙部１７が形成されることとなり、この間隙部１７を介して充電装置本体１に接続されたＵＳＢケーブル２２や電源ケーブル２３を、パーソナルコンピュータ装置や電源コンセントに接続することができる。
【００４０】
従って、可動足２が接続されていない場合でも、充電装置本体１に接続されたＵＳＢケーブル２２や電源ケーブル２３が、充電装置本体１の背面部１ｂと、当該充電装置の載置面との間に挟まってしまい、当該充電装置に載置された携帯電話機の載置状態が不安定となる不都合を防止することができる。
【００４１】
〔横斜め載置状態への移行〕
次に、当該実施の形態の携帯電話機は、このように可動足２を充電装置本体１に接続した「縦斜め載置状態」から、以下に説明する「横斜め載置状態」へ、携帯電話機の載置状態を直接的に（ダイレクトに）移行させることが可能となっている。
【００４２】
すなわち、充電装置本体１に載置された携帯電話機の表示画面の長手の一方の辺部の位置を、該表示画面の長手の他方の辺部よりも高い位置に保持することで、携帯電話機の表示画面を横画面として使用するかたちでユーザの視線と略正対させる「縦斜め載置状態」とする場合、ユーザは、図１に示す充電装置本体１に対して接続した可動足２の第２の接続脚部８に設けられている接続ボタン９を押圧操作すると共に、この接続ボタン９を押圧操作したままの状態で第２の接続脚部８を、さらに充電装置本体１側に押し込み操作する。
【００４３】
上述の「縦斜め載置状態」時には、第２の接続脚部８の接続ボタン９に設けられている嵌込溝部１１が、第２の接続用孔部４に設けられた突出部１６と嵌込した状態となっているのであるが、接続ボタン９を押圧操作すると、この突出部１６と嵌込溝部１１との嵌込が解除され、第２の接続用孔部４から第２の接続脚部８を取り外すこと、及び第２の接続脚部８を第２の接続用孔部４内にさらに挿入することが可能となる。
【００４４】
このため、可動足２の第２の接続脚部８に設けられている接続ボタン９を押圧操作した状態で、この第２の接続脚部８を、さらに充電装置本体１側に押し込み操作すると、図６に示すように第２の接続脚部８が第２の接続用孔部４内にさらに挿入される。そして、第２の接続脚部８のストッパ２５が、第２の接続用孔部４に設けられたストッパ当接部２６と当接して、第２の接続用孔部４に対する第２の接続脚部８の挿入が停止制御される。この状態を図７に示す。
【００４５】
この図７からわかるように、第２の接続脚部８を第２の接続用孔部４内にさらに挿入すると、第１の接続脚部７の高さ位置よりも、第２の接続脚部８の高さ位置が低くなる。そして、この状態で当該充電装置を床面に載置すると、充電装置本体１に接続された可動足２の当接部６が全体的に床面と当接すると共に、充電装置本体１の固定足の横エッジ部が床面と当接して当該充電装置を支持し、図８に示すように当該充電装置本体１に載置された携帯電話機を「横斜め載置状態」に安定して保持することができる。
【００４６】
〔横斜め載置状態から縦斜め載置状態への復帰〕
次に、この「横斜め載置状態」から「縦斜め載置状態」に復帰する場合、可動足２を指で摘んで、第２の接続脚部８を第２の接続用孔部４から引き出すように可動足２に力を加えることで、或いは当該充電装置を床に載置した状態で、可動足２の当接部６を指で押さえ、充電装置本体１を上方向（携帯電話機が載置されている方向）に引き上げる。
【００４７】
これにより、第２の接続用孔部４内に深く挿入されている可動足２の第２の接続脚部８が、該第２の接続用孔部４から引き出され、接続ボタン９の勢力により、該接続ボタン９の嵌込溝部１１が、第２の接続用孔部４の突出部１６と再度嵌込し、上述の縦斜め載置状態へ復帰する。
【００４８】
［第１の実施の形態の効果］
以上の説明から明らかなように、この第１の実施の形態の充電装置は、充電装置本体１の固定足５が設けられた位置に対して反対側の位置に設けられている第１の接続用孔部３及び第２の接続用孔部４に可動足２を接続することで、この可動足２を接続した側の充電装置本体１の高さ位置を、固定足５が設けられた側の高さ位置よりも高くすることができる。このため、充電装置本体１に載置された携帯電話機を「縦斜め載置状態」に保持することができる。
【００４９】
また、充電装置本体１に対して可動足２を接続した状態で、可動足２の第２の接続脚部８に設けられた接続ボタンを押圧操作しながら該第２の接続脚部８を第２の接続用孔部４にさらに押し込むことで、可動足２の第１の接続脚部７の高さ位置よりも、第２の接続脚部８の高さ位置を低くすることができ、充電装置本体１に載置された携帯電話機を「縦斜め載置状態」に保持することができる。
【００５０】
すなわち、充電装置本体１に可動足２を接続することで、充電装置本体１に載置された携帯電話機を「縦斜め載置状態」に保持することができ、また、充電装置本体１に接続された可動足２の第２の接続脚部８に設けられている接続ボタン９を押圧操作して、該第２の接続脚部８を第２の接続用孔部４にさらに押し込むことで、上記「縦斜め載置状態」から「横斜め載置状態」に直接的に移行して、充電装置本体１に載置された携帯電話機を「横斜め載置状態」に保持することができる。
【００５１】
このように当該第１の実施の形態の充電装置は、充電装置本体１に対して可動足２を接続し、この接続した可動足２の接続ボタン９を操作することで、簡単に「縦斜め載置状態」から「横斜め載置状態」へ移行することができる。また、「横斜め載置状態」時に、第２の接続用孔部４に挿入されている可動足２の第２の接続脚部８を、該第２の接続用孔部４から引き出すことにより、「横斜め載置状態」から「縦斜め載置状態」へ直接的に移行することができる。
【００５２】
このため、ユーザは、パーソナルコンピュータ装置との間で送受信するデータに応じて（携帯電話機の表示画面に対するデータの表示のされ方に応じて）、充電装置本体１を所望の載置状態とすることができ、データの送受信作業を容易化することができる。
【００５３】
また、「縦斜め載置状態」時には、可動足２の当接部６全体と、充電装置本体１の固定足５の後ろエッジ部とが床面と当接して充電装置本体１を支持し（図１参照）、「横斜め載置状態」時には、可動足２の当接部６全体と、充電装置本体１の固定足５の横エッジ部とが床面と当接して充電装置本体１を支持するため（図７参照）、いずれの場合も、大きな接地面積で充電装置本体１を支持することができる。このため、「縦斜め載置状態」時及び「横斜め載置状態」時のいずれの場合も、充電装置本体１に載置された携帯電話機を安定して保持することができる。
【００５４】
また、充電装置本体１に接続される可動足２は、Ｕ字形状を有しているため、充電装置本体１に接続された際に、図１に示すように充電装置本体１の背面部１ｂとの間に間隙部１７を形成することができる。このため、当該充電装置に接続されたＵＳＢケーブル２２や電源ケーブル２３を、この間隙部１７を介してパーソナルコンピュータ装置や電源コンセントに接続することができ、該ＵＳＢケーブル２２や電源ケーブル２３が、充電装置本体１の背面部１ｂと、当該充電装置の載置面との間に挟まってしまい、当該充電装置に載置された携帯電話機の載置状態が不安定となる不都合を防止することができる。
【００５５】
［第２の実施の形態］
次に、本発明を適用した第２の実施の形態となる充電装置の説明をする。上述の第１の実施の形態の充電装置は、充電装置本体１に対して着脱自在とされた一つの可動足２により「縦斜め載置状態」及び「横斜め載置状態」の相互の移行を可能としたものであったが、この第２の実施の形態の充電装置は、充電装置本体内に組み込まれた２つの可動足により、「縦斜め載置状態」及び「横斜め載置状態」の相互の移行を可能としたものである。
【００５６】
なお、以下の説明においては、この両者の差異の部分のみの説明を行い、上述の第１の実施の形態と同じ機能を示す箇所には同じ符号を付す等して重複説明は省略することとする。
【００５７】
［第２の実施の形態の充電装置の構成］
図９に、この第２の実施の形態の充電装置の充電装置本体１から上筐体（携帯電話機と当接する筐体）を取り外した状態で内面側から下筐体３０を見た図を示す。この図９からわかるように、この第２の実施の形態の充電装置の場合、充電装置本体１の下筐体３０には、略中央近傍から他方の短手の端部３０ｂ寄りにかけて、反上筐体側に突出するように設けられた中央脚部２８と、この中央脚部２８と端部３０ｂとの間に位置するように、当該下筐体３０の短手方向に沿って反上筐体側に突出するように設けられた固定脚部２９とが設けられている。また、この第２の実施の形態の充電装置は、第１の可動足３１、及びこの第１の可動足３１と連動する第２の可動足３２の、計２つの可動足を有している。
【００５８】
第１の可動足３１は、脚部３３と、回転軸部３４と、連結バー３５とを、例えばＡＢＳ樹脂等の強化プラスチック部材により一体成型することで形成されている。
【００５９】
脚部３３は、下筐体３０の一方の端部３０ａに近接して、該下筐体３０の短手方向に沿って設けられている。この脚部３３の一端部には、第１の実施の形態で説明した可動足２に設けられている接続ボタン９が設けられており、この接続ボタン９により脚部３３が下筐体３０に設けられた孔部（上述の第２の接続用孔部４に相当）に固定され、また、この孔部内に脚部３３をさらに押し込み操作することが可能となっている（図４及び図６参照）。
【００６０】
回転軸部３４は、下筐体３０の長手の一方の辺部に沿って設けられている。脚部３３の他端部（接続ボタン９が設けられている端部に対して反対側の端部）は、この回転軸部３４の一端部に固定されており、脚部３３の動きが回転軸部３４に伝達されるようになっている。
【００６１】
連結バー３５は、その他端部が回転軸部３４の他端部に固定されており、下筐体３０に設けられた中央脚部２８と固定脚部２９との間に、該下筐体３０の短手方向に沿って位置するように設けられている。また、連結バー３５の一端部は、その外観が略Ｕ字形状に加工されており、この間隙部で回動溝部３６を形成している。
【００６２】
一方、第２の可動足３２は、例えば棒状の第１の脚部片４１の他端部と、同じく棒状の第２の脚部片４２の一端部とをヒンジ機構４３を介して相互に接続することで形成されており、下筐体３０の固定脚部２９に沿って設けられている。
【００６３】
このヒンジ機構４３は、充電装置本体１の下筐体３０に設けられたリブ５０、及び充電装置本体１の上筐体に設けられたリブにより、上下から挟み込まれるかたちで、該充電装置本体１内に設置位置が固定されて設けられている。
【００６４】
この第１の脚部片４１の一端部（ヒンジ機構４３に接続された端部に対して反対側となる端部）には回転軸部４４が設けられており、第２の可動足３２は、この第１の脚部片４１に設けられた回転軸部４４を上記連結バー３５の回動溝部３６に挿入することで、第１の可動足３１に対して回動自在に連結されている。
【００６５】
また、第２の可動足３２の第２の脚部片４２の他端部（ヒンジ機構４３に接続された端部に対して反対側となる端部）には、突出部４５が設けられている。これに対して、下筐体３０に設けられた固定脚部２９には、該突出部４５を突出させるための突出用孔部４６が設けられている。後に説明するが、当該実施の形態の充電装置の場合、第１の可動足３１を操作した際の力が第２の可動足３２に伝達され、この突出部４５が、当該下筐体３０の固定脚部２９から反上筐体方向に突出し、或いは固定脚部２９内に収納されるようになっている。
【００６６】
［可動足の機能］
このような第２の実施の形態の充電装置は、通常状態が「縦斜め載置状態」となっており、第１の可動足３１を操作することで、この「縦斜め載置状態」から「横斜め載置状態」へ直接的に移行可能となっている。
【００６７】
〔縦斜め載置状態（＝通常状態）〕
図１０に、この第２の実施の形態の充電装置の通常状態時における側面図を示す。この図１０は、第１の可動足３１に設けられた接続ボタン９の嵌込溝部１１が、下筐体３０に設けられた孔部の突出部に嵌込している状態を示しているのであるが（図４参照）、この状態であると、充電装置本体１の下筐体３０の端部３０ｂ側に設けられた固定脚部２９の高さは、下筐体３０の端部３０ａ側に設けられた第１の可動足３１の高さよりも低くなっている。
【００６８】
このため、第１の可動足３１に設けられた接続ボタン９の嵌込溝部１１が、下筐体３０に設けられた孔部の突出部に嵌込している状態で当該充電装置を床面に載置すると、当該充電装置に載置された携帯電話機を「縦斜め載置状態」で保持することができる。
【００６９】
この場合、第１の可動足３１及び第２の可動足３２が、略々全体的に床面に当接して充電装置本体１を支持することとなるため、載置された携帯電話機を安定して支持することができる。
【００７０】
〔横斜め載置状態への移行〕
次に、このような縦斜め載置状態から縦斜め載置状態へ移行する場合、ユーザは、第１の可動足３１に設けられている接続ボタン９を押圧操作しながら、第１の可動足３１の、接続ボタン９が設けられている側の脚部を充電装置本体１内に押し込み操作する。
【００７１】
図１１は、第１の可動足３１及び第２の可動足３２のみを図示しているのでるあるが、この図１１中矢印Ａで示すように第１の可動足３１の、接続ボタン９が設けられている側の脚部を充電装置本体１内に押し込み操作すると、この押し込み操作による力が回転軸部３４に伝達され、該回転軸部３４が矢印Ｂ方向に回転する。この回転力は、連結バー３５を介して第２の可動足３２に伝達され、該第２の可動足３２の第１の脚部片４１を矢印Ｃ方向（＝矢印Ａ方向）に引き上げる。
【００７２】
上述のように、第２の可動足３２のヒンジ機構４３は、充電装置本体１の上下の筐体に設けられたリブ５０により、その設置位置が固定されている。このため、第２の可動足３２の第１の脚部片４１を上記矢印Ｃ方向に引き上げる力は、ヒンジ機構４３及び第２の脚部片４２を介して突出部４５に伝達され、該突出部４５を矢印Ｄ方向に移動させる。これにより、図１２に示すように第１の可動足３１の、接続ボタン９が設けられている側の脚部が充電装置本体１内に押し込まれた状態で、第２の可動足３２に設けられた突出部４５が固定脚部２９から突出した状態となる。
【００７３】
すなわち、接続ボタン９が設けられている側の脚部を充電装置本体１内に押し込み操作すると、この脚部の高さが固定脚部２９と同じ高さまで低くなり、これに代わって該脚部の対角線上に位置する突出部４５が突出する。そして、この突出部４５の突出量により、該突出部４５が突出した部分の固定脚部２９の高さが、第１の可動足３１の、上記接続ボタン９が設けられていない側の脚部の高さと同じ高さとなる。
【００７４】
これにより、当該充電装置を床面に載置すると、接続ボタン９が設けられている側の脚部の高さ位置が、固定脚部２９の高さ位置まで低くなった第１の可動足３１、及び固定脚部２９の高さ位置を、第１の可動足３１の、上記接続ボタン９が設けられていない側の脚部の高さと同じ高さとするように突出した突出部４５により当該充電装置が支持されることとなるため、図１３に示すように当該充電装置に載置した携帯電話機を「横斜め載置状態」で支持することができる。
【００７５】
また、この場合、第１の可動足３１が略々全体的に床面に当接すると共に、突出部４５と、固定脚部２９の突出部４５が設けられていない側が床面に当接して充電装置本体１を支持することとなるため、充電装置本体１の背面部１ｂの四隅にそれぞれ脚部を設けた場合と同様に、いわば４本脚で支持するのと同様となり、載置された携帯電話機を安定して支持することができる。
【００７６】
〔縦斜め載置状態への復帰〕
次に、このように横斜め載置状態とした当該充電装置を縦斜め載置状態へ復帰させる場合、ユーザは、第１の可動足３１を指で摘んで、当該第１の可動足３１の接続ボタン９が設けられている脚部を充電装置本体１から引き出すように該第１の可動足３１に力を加え、或いは当該充電装置を床に載置した状態で、第１の可動足３１の脚部３３を指で押さえ、充電装置本体１を上方向（携帯電話機が載置されている方向）に引き上げる。
【００７７】
これにより、図１４中矢印Ｅで示すように充電装置本体１内に挿入されている第１の可動足３１の、接続ボタン９が設けられている側の脚部を該充電装置本体１から引き出す方向の力が第１の可動足３１に対して加えられる。
【００７８】
この引き出し操作による力は回転軸部３４に伝達され、該回転軸部３４が矢印Ｆ方向に回転する。この回転力は、連結バー３５を介して第２の可動足３２に伝達され、該第２の可動足３２の第１の脚部片４１を矢印Ｇ方向（＝矢印Ｅ方向）に押し下げる。
【００７９】
第２の可動足３２のヒンジ機構４３は、充電装置本体１の上下の筐体に設けられたリブ５０により、その設置位置が固定されているため、第２の可動足３２の第１の脚部片４１を上記矢印Ｇ方向に押し下げる力は、ヒンジ機構４３及び第２の脚部片４２を介して突出部４５に伝達され、該突出部４５を矢印Ｈ方向に移動させる。これにより、第１の可動足３１の、接続ボタン９が設けられている側の脚部が充電装置本体１内から引き出された状態で、第２の可動足３２に設けられた突出部４５が固定脚部２９内に収納された状態となる。
【００８０】
これにより、接続ボタン９が設けられている側の脚部を充電装置本体１内から引き出し操作することで、第１の可動足３１の、接続ボタン９が設けられている側の脚部、及び接続ボタン９が設けられていない側の脚部がそれぞれ同じ高さ位置となり、また、それまで突出していた突出部４５が固定脚部２９内に収納されることで、固定脚部２９の、突出部４５が設けられている側の脚部、及び突出部４５が設けられていない側の脚部がそれぞれ同じ高さ位置となる。従って、当該充電装置の状態を、図１０に示す「縦斜め載置状態」に復帰させることができる。
【００８１】
〔第１、第２の可動足の動作の詳細〕
このような「縦斜め載置状態」及び「横斜め載置状態」を可能とする第第１の可動足３１及び第２の可動足３２の動作をさらに詳細に説明すると、接続ボタン９が設けられている側の脚部の押し込み操作或いは引き出し操作による該脚部のストローク（図１１の矢印Ａのストローク、及び図１４の矢印Ｅに示すストロークに相当）は、第２の可動足３２の第１の脚部片４１のストローク（図１１の矢印Ｃのストローク、及び図１４の矢印Ｇに示すストロークに相当）と同じとなる。
【００８２】
第２の可動足３２の第１の脚部片４１の長さと第２の脚部片４２の長さとの比は、連結バー３５により引き上げられ或いは押し下げられる第１の脚部片４１のストローク長（図１１の矢印Ｃのストローク、及び図１４の矢印Ｇに示すストロークに相当）と、突出し或いは収納される突出部４５のストローク長（図１１の矢印Ｄのストローク、及び図１４の矢印Ｈに示すストロークに相当）との比と同じである。
【００８３】
また、第１の可動足３１の、接続ボタン９が設けられている側の脚部の押し込み操作或いは引き出し操作で加えられた力と同じ力が、連結バー３５を介して第２の可動足３２の第１の脚部片４１に対して加えられ、接続ボタン９が設けられている側の脚部に対して加えられる力と、突出部４５を動かす力との比は、第２の可動足３２の第１の脚部片４１の長さと、第２の脚部片４２の長さとの比に対して反比例する。
【００８４】
すなわち、第１の可動足３１の、接続ボタン９が設けられている側の脚部のストローク長（図１１の矢印Ａのストローク長、図１４の矢印Ｅに示すストローク長）と、第２の可動足３２の突出部４５のストローク長（図１１の矢印Ｄのストローク長、及び図１４の矢印Ｈに示すストローク長）との比と同じ比となるように、第２の可動足３２の第１の脚部片４１の長さ及び第２の脚部片４２の長さが決定される。
【００８５】
具体的には、接続ボタン９が設けられている側の脚部のストローク長を「６ｍｍ」に設定することで、第２の可動足３２の突出部４５のストローク長として「９ｍｍ」のストローク長が必要となった場合、第２の可動足３２の第１の脚部片４１の長さは「６ｍｍ」、第２の脚部片４２の長さは「９ｍｍ」に設定される。なお、この場合における「横斜め載置状態」から「縦斜め載置状態」へ移行させる際に必要とする力と、「縦斜め載置状態」から「横斜め載置状態」への移行させる際に必要とする力との比は「６：９」となる。
【００８６】
［第２の実施の形態の効果］
以上の説明から明らかなように、この第２の実施の形態の充電装置は、接続ボタン９が設けられている脚部を充電装置本体１内に押し込み操作した際に、この脚部の対角線上の位置から突出部４５を突出させ、また、充電装置本体１内に押し込まれた脚部を引き出し操作した際に、上記突出部４５を充電装置本体１内に収納するように連動する第１及び第２の可動足３１、３２を設けることで、このような簡単な操作で、当該充電装置の状態を「縦斜め載置状態」から「横斜め載置状態」への移行させ、また、「横斜め載置状態」から「縦斜め載置状態」へ復帰させることができる。
【００８７】
また、「縦斜め載置状態」とした場合には、第１の可動足３１及び第２の可動足３２が、略々全体的に床面に当接して充電装置本体１を支持することとなるため、載置された携帯電話機を安定して支持することができる。また、「横斜め載置状態」とした場合には、第１の可動足３１が略々全体的に床面に当接すると共に、突出部４５と、固定脚部２９の突出部４５が設けられていない側が床面に当接して充電装置本体１を支持することとなるため、充電装置本体１の背面部１ｂの四隅にそれぞれ脚部を設けた場合と同様に、いわば４本脚で支持するのと同様となり、載置された携帯電話機を安定して支持することができる。
【００８８】
この他、中央脚部２８に接続されるＵＳＢケーブルや電源ケーブルを、第１の可動足３１の間隙部に挿通させることができる等、上述の第１の実施の形態と同じ効果を得ることができる。
【００８９】
［変形例］
また、上述の実施の形態の説明では、本発明を携帯電話機用の充電装置に適用することとしたが、本発明は、この他、ＰＨＳ電話機（PHS：Personal Handyphone System）、ＰＤＡ装置（PDA：Personal Digital Assistant）等の他の携帯端末装置用の充電装置に適用してもよい。この場合でも、上述と同様の効果を得ることができる。
【００９０】
また、上述の実施の形態の説明では、本発明を充電装置に適用することとしたが、この他、卓上用のホルダ装置や車載用のホルダ装置に適用してもよい。この場合、ホルダ装置に載置した携帯端末装置の表示画面に表示される画像（動画像や静止画像）の向きに応じて、該ホルダ装置の載置状態を「縦斜め載置状態」或いは「横斜め載置状態」へ簡単に移行させることができる。
【００９１】
最後に、本発明は、本発明の一例として開示したに過ぎない上述の実施の形態に限定されることはなく、本発明に係る技術的思想を逸脱しない範囲であれば、上述の実施の形態以外であっても設計等に応じて種々の変更が可能であることは勿論であることを付け加えておく。
【図面の簡単な説明】
【００９２】
【図１】本発明を適用した第１の実施の形態となる充電装置の斜視図である。
【図２】第１の実施の形態の充電装置に対して着脱自在とされた可動足の斜視図である。
【図３】第１の実施の形態の充電装置に対する可動足の接続工程を説明するための図である。
【図４】第１実施の形態の充電装置に対して接続された可動足の接続ボタンの部分を透視した図である。
【図５】縦斜め載置状態時における第１の実施の形態の充電装置の斜視図である。
【図６】第１実施の形態の充電装置において、縦斜め載置状態から横斜め載置状態に移行した際に充電装置本体内に押し込まれた可動足の接続ボタンの部分を透視した図である。
【図７】横斜め載置状態時における第１の実施の形態の充電装置の斜視図である。
【図８】横斜め載置状態時における第１の実施の形態の充電装置の全体的な斜視図である。
【図９】本発明を適用した第２の実施の形態となる充電装置の下筐体側の斜視図である。
【図１０】縦斜め載置状態時における第２の実施の形態の充電装置の側面図である。
【図１１】第２の実施の形態の充電装置を横斜め載置状態に移行させる際における第１の可動足及び第２の可動足の動作を説明するための斜視図である。
【図１２】横斜め載置状態時における第２の実施の形態の充電装置の斜視図である。
【図１３】横斜め載置状態時における第２の実施の形態の充電装置を突出部側から見た図である。
【図１４】第２の実施の形態の充電装置を縦斜め載置状態に移行させる際における第１の可動足及び第２の可動足の動作を説明するための斜視図である。
【符号の説明】
【００９３】
１  充電装置本体、１ａ  充電装置本体の上面部、１ｂ  充電装置本体の背面部、２  可動足、３  第１の接続用孔部、４  第２の接続用孔部、５  固定足、６  当接部、７  第１の接続脚部、８  第２の接続脚部、９  接続ボタン、１０  軸部、１１  嵌込溝部、１３  突部、１５  突出部、２０  ケーブル接続端子、２１  電源接続端子、２２  ＵＳＢケーブル、２３  電源ケーブル、２５  ストッパ、２６  ストッパ当接部、２８  中央脚部、２９  固定脚部、３０  下筐体、３１  第１の可動足、３２  第２の可動足、３３  第１の可動足の脚部、３４  第１の可動足の回転軸部、３５  連結バー、３６  回動溝部、４１  第２の可動足の第１の脚部片、４２  第２の可動足の第１の脚部片、４３  第２の可動足のヒンジ機構、４４  第２の可動足の回転軸部、４５  第２の可動足の突出部、４６  突出用孔部、５０  下筐体に設けられたヒンジ機構固定用のリブ
【図１】
2007209144.tif 000003
【図２】
2007209144.tif 000004
【図３】
2007209144.tif 000005
【図４】
2007209144.tif 000006
【図５】
2007209144.tif 000007
【図６】
2007209144.tif 000008
【図７】
2007209144.tif 000009
【図８】
2007209144.tif 000010
【図９】
2007209144.tif 000011
【図１０】
2007209144.tif 000012
【図１１】
2007209144.tif 000013
【図１２】
2007209144.tif 000014
【図１３】
2007209144.tif 000015
【図１４】
2007209144.tif 000016